(57)【特許請求の範囲】
【請求項１】
（Ａ）脂肪酸石けん０．５〜５重量％、（Ｂ）グリセリン脂肪酸エステル０．５〜５重量％、（Ｃ）ポリオキシエチレンアルキルエーテル及び/又は脂肪酸アルカノールアミドを１〜５重量％、（Ｄ）金属イオン封鎖剤２〜６重量％、（Ｅ）水溶性溶剤０．５〜２０重量％を含有し、エアゾール容器に充填して使用する網戸用洗浄剤組成物において、成分（Ａ）：成分（Ｂ）が重量比で２：１〜１：４、（成分（Ａ）＋成分（Ｂ））：成分（Ｃ）が重量比で１：２〜４：１であり、且つ、該洗浄剤のｐＨが８〜１１の弱アルカリ性に調整されたものであることを特徴とする網戸用洗浄剤組成物。
【請求項２】
（Ｄ）金属イオン封鎖剤がクエン酸ナトリウムであることを特徴とする、請求項１に記載の網戸用洗浄剤組成物。
【請求項３】
（Ｅ）水溶性溶剤がイソプロピルアルコールであることを特徴とする、請求項１又は２に記載の網戸用洗浄剤組成物。
【発明の詳細な説明】
【０００１】
【産業上の利用分野】
本発明は、網戸やエアコンフィルター等の網面の洗浄するにあたり、エアゾール容器に充填して使用される洗浄剤組成物であって、十分な洗浄力を有し、しかも網面にスプレーしたとき、網面を通過する泡の少ない網戸用洗浄剤組成物に関するものである。
【０００２】
【従来の技術】
従来から網戸の洗浄には、スポンジやタワシ等でこすり洗いする方法や、市販の洗浄剤を用いて洗浄する方法が行われている。しかし、スポンジ等でこすり洗いする方法では網面を傷めたり、たるみを生じる恐れがある。また、網戸用の洗浄剤としていくつが市販されているが、これらは洗浄力が満足いくものでなかったり、網面にスプレーしたとき網面を通過する泡が多く、網面に十分な泡が付着しない等の問題があった。
【０００３】
【発明が解決しようとする課題】
本発明は、スポンジ等でのこすり洗いを行わず、網戸を洗浄でき、しかも、網面を通過する泡が少ない効率的な網戸用洗浄剤を提供することにある。
【０００４】
【課題を解決するための手段】
本発明者らは、上記課題を解決するため鋭意検討を行なった結果、脂肪酸石けんとグリセリン脂肪酸エステル、そしてポリオキシエチレンアルキルエーテル及び/又は脂肪酸アルカノールアミドを特定の比率で配合することにより、十分な洗浄力を有し、しかも網面を通過する泡の少ない網戸用洗浄剤組成物が得られることを見出し、本発明を完成するに至った。すなわち本発明は、（Ａ）脂肪酸石けん、（Ｂ）グリセリン脂肪酸エステル、（Ｃ）ポリオキシエチレンアルキルエーテル及び/又は脂肪酸アルカノールアミド、（Ｄ）金属イオン封鎖剤、（Ｅ）水溶性溶剤を必須成分として含み、ｐＨが８〜１１であって、好ましくは、成分（Ａ）：成分（Ｂ）が重量比で２：１〜１：４、更に（成分（Ａ）＋成分（Ｂ））：成分（Ｃ）が重量比で１：２〜４：１であることを特徴とする網戸用洗浄剤組成物を提供するものである。
【０００５】
本発明で用いられる成分（Ａ）の脂肪酸石けんとしては飽和または不飽和のいずれであってもよく、炭素数８〜２２、特に１０〜１８のものが好ましい。具体的には、ラウリン酸、ミリスチン酸、パルミチン酸、ステアリン酸、オレイン酸、ヤシ油脂肪酸、牛脂脂肪酸などのアルカリ金属塩、アンモニウム塩、アミン塩が挙げられる。このうち特にラウリン酸ナトリウム、ラウリン酸カリウム、ヤシ油脂肪酸ナトリウム、ヤシ油脂肪酸カリウムが好ましい。これらの脂肪酸石けんは、１種または２種以上を組み合わせて用いることができ、全組成物中に０．５〜５重量％、好ましくは１〜３重量％配合される。
【０００６】
成分（Ｂ）のグリセリン脂肪酸エステルは、脂肪酸として飽和または不飽和のいずれであってもよく、炭素数８〜２４、特に１０〜１８のものが好ましい。具体的にはラウリン酸、ミリスチン酸、パルミチン酸、ステアリン酸、オレイン酸などのグリセリドが挙げられる。また、グリセリン脂肪酸エステルはモノ、ジ、トリグリセリドのいずれであってもよく、ポリグリセリン脂肪酸エステルであっても構わない。このうち、特にモノオレイン酸グリセリド、モノステアリン酸グリセリドが好ましい。これらのグリセリン脂肪酸エステルは１種または２種以上を組み合わせて用いることができ、全組成物中に０．５〜５重量％、好ましくは１〜３重量％配合される。成分（Ａ）：成分（Ｂ）の比率は、重量比で２：１〜１：４が好ましく、なかんずく１：１〜１：３の範囲が好適である。この範囲をはずれると網面を通過する泡が多くなり好ましくない。
【０００７】
本発明では、成分（Ｃ）の（成分（Ａ）および成分（Ｂ））以外の界面活性剤として、ポリオキシエチレンアルキルエーテル、脂肪酸アルカノールアミドを使用する。これらの界面活性剤は、全組成物中に１〜５重量％、好ましくは２〜４重量％配合される。（成分（Ａ）＋成分（Ｂ））：成分（Ｃ）の比率は重量比で１：２〜４：１が好ましく、なかんずく１：１〜３：１の範囲内が好適である。この範囲をはずれると網面を通過する泡が多くなり好ましくない。なお、本発明の性能に支障をきたさない限りにおいて、通常液体洗浄剤に使用される他のアニオン、ノニオン、両性界面活性剤を配合してもよい。例えばアニオン界面活性剤としては、アルキルベンゼンスルホン酸塩、直鎖アルキルベンゼンスルホン酸塩、アルキル硫酸塩、α−オレフィンスルホン酸塩、アルキルりん酸エステル塩、ポリオキシエチレンアルキルエーテル硫酸塩、ポリオキシエチレンアルキルフェニルエーテル硫酸塩、ポリオキシエチレンアルキルエーテルりん酸塩などが挙げられ、ノニオン界面活性剤としては、例えばポリオキシエチレンアルキルフェニルエーテル、アミンオキシドなどが挙げられ、両性界面活性剤としては、例えばアルキルカルボキシベタイン型、アルキルアミノカルボン酸型、アルキルイミダゾリン型などが挙げられる。これらの界面活性剤のうちノニオン界面活性剤が好ましい。
【０００８】
成分（Ｄ）の金属イオン封鎖剤としてはクエン酸、リンゴ酸、コハク酸などの有機酸およびそれらの塩、エチレンジアミン四酢酸、ヒドロキシエチレンジアミン三酢酸、ニトリロ酢酸などのアミノカルボン酸およびそれらの塩、ポリアクリル酸ナトリウムなどのポリマーカルボキシレートが挙げられる。塩としては、ナトリウム、カリウムなどのアルカリ金属塩、アンモニウム塩、アミン塩が挙げられる。このうちとくにクエン酸ナトリウムが好ましい。これらの金属イオン封鎖剤は１種または２種以上を組み合わせて用いることができ、全組成物中に２〜６重量％、好ましくは３〜５重量％配合される。２重量％未満では十分な洗浄力が得られず、一方６重量％を超えると網面を通過する泡が多くなるため不都合を生じる。
【０００９】
成分（Ｅ）の水溶性溶剤としてはアルコール、多価アルコールおよびその誘導体が挙げられ、具体的にはエタノール、イソプロピルアルコール、エチレングリコール、エチレングリコールモノエチルエーテル、エチレングリコールモノブチルエーテル、ジエチレングリコールモノエチルエーテル、ジエチレングリコールモノブチルエーテル、プロピレングリコール、プロピレングリコールモノエチルエーテル、プロピレングリコールモノブチルエーテル、ジプロピレングリコールモノエチルエーテル、ジプロピレングリコールモノブチルエーテル等が挙げられる。このうち、特にエタノール、イソプロピルアルコールが好ましい。これらの水溶性溶剤は１種または２種以上を組み合わせて用いることができ、全組成物中に０．５〜２０重量％、好ましくは５〜１５重量％配合される。０．５重量％未満では十分な洗浄力および泡性能が得られず、２０重量％を超えると網面を通過する泡が多くなり好ましくない。
【００１０】
本発明の洗浄液のｐＨは、８〜１１の弱アルカリ性であることを必要とする。ｐＨが８未満になると、洗浄液中の石けんの脂肪酸が遊離し、十分な洗浄力が得られず、一方１１を超えると安全性の点で問題があり好ましくない。かかるｐＨは前記洗浄液のｐＨに応じて適宜調整すればよく、ｐＨを調整する手段としては、ナトリウム、カリウムなどのアルカリ金属化合物、モノエタノールアミン、ジエタノールアミン、トリエタノールアミンなどのアルカノールアミン、アンモニア水などのアルカリ性物質、塩酸、硫酸、クエン酸、リンゴ酸、酒石酸、コハク酸などの酸性物質、およびこれらを組み合わせたものを洗浄液に添加する方法が挙げられる。
【００１１】
また洗浄液には通常の洗浄剤に用いられる成分、例えば、香料、染料、防腐剤、防食剤、殺菌剤、保湿剤、再付着防止剤等を本発明の効果を損なわない範囲で適宜配合することができる。このようにして得られた洗浄液は噴射剤とともにエアゾール容器に充填され、洗浄液と噴射剤の組成は、泡性能の点で洗浄液が８０〜９５容量％に対し、噴射剤が５〜２０容量％程度に調整されるのが好ましい。噴射剤としては通常エアゾールに用いられる噴射剤のいずれであってもよいが、特にＬＰＧが好適である。
【００１２】
【実施例】
次に実施例をあげて本発明を説明するが、本発明はこれら実施例に限定されるものではない。
【００１３】
実施例
表１に示す組成の洗浄液を調製し、ＬＰＧとともにエアゾール容器に充填した。洗浄液とＬＰＧの組成は、洗浄液９０容量％、噴射剤１０容量％とした。これらの実施品および比較品を用いて、（１）洗浄力、（２）泡性能を評価した。評価方法は以下のとおり。
（１）洗浄力
屋外に長期間放置した網戸の網面に実施品および比較品をスプレーし、５分間放置後、水洗して、網面の洗浄状態を観察し、以下の基準で評価した。
○：汚れが完全に落ちた
△：汚れが一部残っていた
×：汚れがほとんど落ちていなかった
（２）泡性能
網戸の網面に実施品および比較品をスプレーしたあとすぐに、網面を通過し、窓ガラスに付着した泡量を観察し、以下の基準で評価した。
○：網面を通過した泡が少ない
△：網面を通過した泡がやや多い
×：網面を通過した泡が多い
【００１４】
【表１】
0003928821.tif 000002
【表１】
0003928821.tif 000003
【００１５】
試験の結果、本実施品はいずれも網面の洗浄に際して、こすることなく汚れを落し、しかも網面を通過する泡が少ないという特徴を有していた。
これに対し、比較品に示す如く、成分（Ｂ）のグリセリン脂肪酸エステルを配合しないか、しても所定量に満たない場合（比較品１，２，４）、成分（Ａ）や成分（Ｃ）の配合量が所定量の範囲を外れる場合（比較品３，５，６，７，８），あるいは成分（Ｄ）の金属イオン封鎖剤の配合量が所定量の範囲を超える場合（比較品１１）は泡性能が劣った。またｐＨが中性の場合（比較品９）や成分（Ｄ）が所定量に満たない場合（比較品１０）は洗浄力が不十分であった。
従って、泡性能の評価が重要な網戸用洗浄剤においては、特定の成分を特定の比率で配合した本発明洗浄剤組成物の有用性が明らかである。
【００１６】
【発明の効果】
本発明の網戸用洗浄剤組成物は、エアゾールタイプのため使いやすく、十分な洗浄力を有し、しかもスプレーしたとき網面を通過する泡が少ないので、網戸やエアコンフィルター等の網面を効率よく洗浄することができる。